(57)【要約】【課題】ＬＣＤパネル４０の表示内容をＬＣＤ制御回路２０側から把握できない構成であっても、ＬＣＤ駆動回路３０の異常を判断することができる表示装置１０を実現する。【解決手段】ＬＣＤパネル４０の表示素子に対して画像を表示させるＬＣＤ駆動回路３０とＬＣＤ駆動回路３０に画像を表示させる制御を行うＬＣＤ制御回路２０とを備え、ＬＣＤ駆動回路３０が、ＬＣＤパネル４０に画像を表示させる画像信号を出力する出力回路３４と、出力回路３４に供給する電圧ＶＤＣを、画像信号を出力するために必要な出力電圧まで昇圧する昇圧回路３６とを備える表示装置１０において、昇圧回路３６から出力回路３４に供給される供給電圧を検出する電圧検出回路５０を備え、ＬＣＤ制御回路２０は、電圧検出回路５０によって検出された供給電圧ＶＤＣが出力電圧以上であるか否かに基づいて、ＬＣＤ駆動回路３０を初期化する初期化回路２２を備えている。【選択図】図１
2009042683.tif 000002
【特許請求の範囲】
【請求項１】
表示部の表示素子に対して画像を表示させる駆動手段と、当該駆動手段に画像を表示させる制御を行う表示制御手段とを備えた表示装置であって、
前記駆動手段が、
前記表示部に画像を表示させる画像信号を出力する出力手段と、
前記出力手段に供給する電圧を、前記画像信号を出力するために必要な出力電圧まで昇圧する昇圧手段とを備える表示装置において、
前記昇圧手段から前記出力手段に供給される供給電圧を検出する電圧検出手段を備え、
前記表示制御手段は、前記電圧検出手段によって検出された供給電圧が前記出力電圧以上であるか否かに基づいて、前記駆動手段を初期化する初期化手段を備えることを特徴とする表示装置。
【請求項２】
前記電圧検出手段は、検出した前記供給電圧が前記出力電圧未満である場合には０を、前記供給電圧が前記出力電圧以上の場合には前記供給電圧を前記表示制御手段に出力し、
前記表示制御手段は、前記電圧検出手段からの出力が０の場合、前記駆動手段を初期化することを特徴とする請求項１に記載の表示装置。
【請求項３】
前記電圧検出手段は、前記供給電圧をアナログ信号からデジタル信号に変換し出力するＡ／Ｄ変換手段をさらに備え、
前記表示制御手段は、前記電圧検出手段からの出力が前記出力電圧未満である場合、前記駆動手段を初期化することを特徴とする請求項１に記載の表示装置。
【請求項４】
前記表示制御手段は、前記電圧検出手段によって検出された複数回の検出結果に基づいて前記駆動手段を初期化するか否かを判断することを特徴とする請求項１から３のいずれか１項に記載の表示装置。
【請求項５】
前記表示制御手段は、前記電圧検出手段からの出力をトリガとする割り込み機能に基づいて前記駆動手段を初期化することを特徴とする請求項１から４のいずれか１項に記載の表示装置。
【請求項６】
昇圧手段および出力手段を備え、表示部の表示素子に対して画像を表示させる駆動手段と、当該駆動手段に画像を表示させる制御を行う表示制御手段とを備えた表示装置における表示方法であって、
前記駆動手段が、
前記昇圧手段に対して前記出力手段に供給する電圧を昇圧させる昇圧ステップと、
前記出力手段に対して前記表示部に表示する画像信号を出力させる出力ステップと、
電圧検出手段が、
前記昇圧手段から前記出力手段に供給される供給電圧を検出する検出ステップと、
前記表示制御手段が、
前記電圧検出手段によって検出された結果に基づいて前記駆動手段を初期化する初期化ステップと
を備えることを特徴とする表示方法。
【請求項７】
請求項１から５のいずれか１項に記載の表示装置を動作させるためのプログラムであって、コンピュータを上記の表示制御手段として機能させるための表示制御プログラム。
【請求項８】
請求項７に記載のプログラムが記録されたコンピュータ読み取り可能な記録媒体。
【発明の詳細な説明】
【技術分野】
【０００１】
本発明は、表示部に対して画像を表示させる表示装置、表示方法、表示制御プログラム、および記憶媒体に関する。より具体的には、駆動手段を用いて表示部に画像を表示させる端末の制御を行う表示装置、表示方法、表示制御プログラムに関する。
【背景技術】
【０００２】
従来、情報処理装置、携帯端末、通信端末、動画表示装置、カメラなど画像を表示する電子機器において、ＬＣＤ（Liquid Crystal Display）などのディスプレイを用いた表示装置が広く使われている。ＬＣＤは、一般的に、駆動回路や液晶ドライバなどと呼ばれるＬＳＩによって駆動される。
【０００３】
駆動回路は、装置全体を制御する主制御部（ＣＰＵ：Central Processing Unit）や、グラフィックボードやビデオカードなどの画像表示用の制御装置などから出力された画像信号に基づいて、ＬＣＤパネル上の表示素子に画像を表示させる駆動を行っている。
【０００４】
しかしながら、駆動回路は、人体からの放電などによって発生した高周波ノイズによって誤動作を起こしたり、駆動回路内部の画像メモリに保存されている画像データが破壊されたりして、表示データが破損してしまうという問題が存在する。
【０００５】
このような問題に対して、特許文献１では、画像メモリに記憶されている画像データの誤り検査を定期的に行い、誤りが検出された場合に、画像データの再送を外部装置に要求し、再送された画像データに基づいて画像メモリを更新することで画像データの破損を修正している。
【０００６】
また、特許文献２では、表示部の駆動電流値を測定し、記憶部に記憶されている駆動電流予想値と比較することで表示部の異常を判定し、異常と判断された場合に表示部のリセットを行っている。
【特許文献１】特開２００２−７２９８３号公報（２００２年０３月１２日公開）
【特許文献２】特開２００５−１７３１４３号公報（２００５年０６月３０日公開）
【発明の開示】
【発明が解決しようとする課題】
【０００７】
しかしながら、上記従来の構成では、画像メモリ内に保存されている画像データや、表示部に実際に表示されている画像、あるいは表示部の駆動電流値などを監視することで、表示部に表示された画像の異常を検知する必要があるという問題を生じる。
【０００８】
具体的には、画像データを比較する方法では、少なくとも表示装置から画像データを読み出す必要があり、画像表示用の画像信号を出力するＣＰＵまたは表示制御装置と、駆動回路との間に画像データを読み出すための制御信号線を持たない場合には、表示制御回路からは表示部に表示された画像の異常を検知することができず、表示のリセットを行う制御信号を駆動回路に送信することができないという問題を生じる。
【０００９】
また、表示部の駆動電流から表示部の異常を検知する場合には、表示部の駆動電流を検出する電流検出回路を設置する必要がある。一般的に、電流検出回路は必要となる回路の規模が大きくなり、実装面積やコストなどの面で問題を生じる。
【００１０】
本発明は、上記の問題点に鑑みてなされたものであり、その目的は、表示部の表示内容を表示制御装置側から把握できない構成であっても、駆動手段の異常を判断することができる表示装置を実現することにある。
【課題を解決するための手段】
【００１１】
本発明の表示装置は、上記の問題を解決するために、表示部の表示素子に対して画像を表示させる駆動手段と、当該駆動手段に画像を表示させる制御を行う表示制御手段とを備えた表示装置であって、前記駆動手段が、前記表示部に画像を表示させる画像信号を出力する出力手段と、前記出力手段に供給する電圧を、前記画像信号を出力するために必要な出力電圧まで昇圧する昇圧手段とを備える表示装置において、前記昇圧手段から前記出力手段に供給される供給電圧を検出する電圧検出手段を備え、前記表示制御手段は、前記電圧検出手段によって検出された供給電圧が前記出力電圧以上であるか否かに基づいて、前記駆動手段を初期化する初期化手段を備えることを特徴としている。
【００１２】
また、本発明の表示方法は、上記の問題を解決するために、昇圧手段および出力手段を備え、表示部の表示素子に対して画像を表示させる駆動手段と、当該駆動手段に画像を表示させる制御を行う表示制御手段とを備えた表示装置における表示方法であって、前記駆動手段が、前記昇圧手段に対して前記出力手段に供給する電圧を昇圧させる昇圧ステップと、前記出力手段に対して前記表示部に表示する画像信号を出力させる出力ステップと、電圧検出手段が、前記昇圧手段から前記出力手段に供給される供給電圧を検出する検出ステップと、前記表示制御手段が、前記電圧検出手段によって検出された結果に基づいて前記駆動手段を初期化する初期化ステップとを備えることを特徴としている。
【００１３】
上記の構成によれば、表示部の表示内容を表示制御装置側から把握できない構成であっても、昇圧手段から出力手段に供給される供給電圧に基づいて、駆動手段の異常を判断することができる。これにより、供給電圧の異常が原因で画像表示に不具合が発生した場合でも、駆動手段を初期化することで画像表示を正常化することができるという効果を奏する。
【００１４】
なお、上記の初期化手段では、駆動回路の初期化を行う処理と共に、駆動回路を正常に起動させるための設定処理、具体例をあげれば、前記表示素子に表示する内容に応じて画面サイズや表示位置などの設定を前記駆動手段に対して行わせる構成であってもよい。
【００１５】
上記の表示装置では、前記電圧検出手段は、検出した前記供給電圧が前記出力電圧未満である場合には０を、前記供給電圧が前記出力電圧以上の場合には前記供給電圧を前記表示制御手段に出力し、前記表示制御手段は、前記電圧検出手段からの出力が０の場合、前記駆動手段を初期化することが好ましい。
【００１６】
上記の構成によれば、所定の電圧が出力されない場合は０を、所定の電圧よりも高い電圧の場合はその電圧を出力するような素子を用いることで、簡素な構成で電圧検出手段を構成することができる。具体例を挙げれば、例えば、トランジスタやオペアンプなどを用いて、安価な電圧検出手段を構成することができる。
【００１７】
上記の表示装置では、前記電圧検出手段は、前記供給電圧をアナログ信号からデジタル信号に変換し出力するＡ／Ｄ変換手段をさらに備え、前記表示制御手段は、前記電圧検出手段からの出力が前記出力電圧未満である場合、前記駆動手段を初期化してもよい。
【００１８】
上記の構成によれば、前期出力電圧をデジタルの数値として処理できるため、基準電圧を段階的に設けてノイズによる誤検出の影響を軽減するなど正確な処理を行うことができる。また、前記表示制御手段内部で前記電圧検出手段を構成できる場合、新たに部品を追加する必要がなく、部品の実装面積と部品コストを節約できるという効果を奏する。
【００１９】
上記の表示装置では、前記表示制御手段は、前記電圧検出手段によって検出された複数回の検出結果に基づいて前記駆動手段を初期化するか否かを判断することが好ましい。
【００２０】
上記の構成によれば、複数の検出結果に基づいて駆動手段の初期化を行うので、より誤動作を正確に判断することができるという効果を奏する。
【００２１】
前記表示制御手段は、前記電圧検出手段からの出力をトリガとする割り込み機能に基づいて前記駆動手段を初期化してもよい。
【００２２】
上記の構成によれば、表示制御手段が備える割り込み機能を用いて初期化を行うので、表示制御手段で周期的に駆動手段の状態を確認することなく、駆動手段の異常を解消できる再生装置を実現できるという効果を奏する。
【００２３】
なお、上記表示装置は、コンピュータによって実現してもよく、この場合には、コンピュータを上記各手段として動作させることにより上記表示装置をコンピュータにて実現させる情報管理装置の制御プログラム、およびそれを記録したコンピュータ読み取り可能な記録媒体も、本発明の範疇に入る。
【発明の効果】
【００２４】
本発明に係る表示装置は、以上のように、表示部の表示素子に対して画像を表示させる駆動手段と、当該駆動手段に画像を表示させる制御を行う表示制御手段とを備えた表示装置であって、前記駆動手段は、前記表示部に表示させる画像信号を出力する出力手段と、前記出力手段に供給する電圧を昇圧する昇圧手段とをさらに備える表示装置において、前記昇圧手段から前記出力手段に供給される供給電圧を検出する電圧検出手段を備え、前記表示制御手段は、前記電圧検出手段によって検出された結果に基づいて前記駆動手段を初期化する初期化手段を備えているので、表示部の表示内容を表示制御装置側から把握できない構成であっても、昇圧手段から出力手段に供給される電圧に基づいて、駆動手段の異常を判断することができる。これにより、電圧の異常が原因で画像表示に不具合が発生した場合でも、駆動手段を初期化することで画像表示を正常化することができるという効果を奏する。
【発明を実施するための最良の形態】
【００２５】
本発明の一実施形態について図１から図４に基づいて説明すると以下の通りである。なお、本実施形態では、ＬＣＤ（Liquid Crystal Display）の表示部を備えた携帯端末を例に説明するが、これに限るものではない。有機ＥＬＤ（Electro Luminescence Display）やその他のディスプレイで表示部を構成してもよいし、ノートＰＣや一般的な表示装置に対して用いてもよい。
【００２６】
図１は、本発明の表示装置１０の主要部を示す機能ブロック図である。本実施形態の表示装置１０は、ＬＣＤ制御回路（表示制御手段）２０、ＬＣＤ駆動回路（駆動手段）３０、ＬＣＤパネル（表示部）４０、および電圧検出回路（電圧検出手段）５０を備えている。ＬＣＤ制御回路２０は、初期化回路（初期化手段）２２を、ＬＣＤ駆動回路３０は、制御回路３２、出力回路（出力手段）３４、昇圧回路（昇圧手段）３６を、それぞれさらに備えている。
【００２７】
ＬＣＤ制御回路２０は、ＬＣＤパネル４０に表示される画像の加工を行い、ＬＣＤ駆動回路３０を介してＬＣＤパネル４０に画像を表示させる処理を行う。また、ＬＣＤ制御回路２０は、画像をＬＣＤパネル４０のサイズにあわせて加工する処理や、表示画像に縁を付加するといった処理を行ってもよい。ＬＣＤ制御回路２０は、ＬＣＤ上に画像を表示する際に必ずしも必要となる回路ではないが、ＬＣＤ表示の高度化のために必要な部品である。なお、ＣＰＵ内部でＬＣＤ制御回路２０と同様の処理を行い、画像表示を行う構成であってもよい。
【００２８】
初期化回路２２は、電圧検出回路５０からの出力信号Ｖｏｕｔに基づいて、ＬＣＤ駆動回路３０全体をリセットし、ノイズなどの原因で誤動作している状態のＬＣＤ駆動回路３０の初期化および再起動を行う。より具体的には、ノイズなどの原因で昇圧回路３６からの出力電圧が低下した場合に、ＬＣＤ駆動回路３０全体を初期化するための制御信号を送信する。
【００２９】
ＬＣＤ駆動回路３０は、ＬＣＤパネル４０を制御するための信号を生成する。具体的には、ＬＣＤパネル４０を構成する液晶素子に対して、各画素にどのような画像を表示するかを指示する画像信号を出力する。ＬＣＤ駆動回路３０は、省スペース化などのためにＬＣＤパネル４０内に構成されていてもよい。
【００３０】
制御回路３２は、ＬＣＤ駆動回路３０の各部、具体例をあげると、出力回路３４や、昇圧回路３６、および、供給電源の制御や、その他駆動回路の各部の制御を行う。出力回路３４は、ＬＣＤ制御回路２０からの画像表示指示を受け、ＬＣＤパネル４０の表示素子に画像を表示させる出力信号を生成する。
【００３１】
昇圧回路３６は、ＬＣＤ制御回路２０からの制御信号および制御回路３２からの指示に基づいて、出力回路３４に対して昇圧した供給電圧ＶＤＣを出力する。この供給電圧ＶＤＣは出力回路３４でＬＣＤパネル４０を駆動する際に必要な基準電源として使用される。出力回路３４は、上記の基準電源を元にＬＣＤパネル４０を駆動する出力を生成し、ＬＣＤパネル４０に画面表示を行わせる。
【００３２】
なお、通常、ＬＣＤパネル４０が画像を表示しているときには昇圧回路３６が動作しているが、携帯端末９０が省電力状態などでＬＣＤパネル４０の表示を消している場合などは、昇圧回路３６は動作していない。
【００３３】
したがって、ＬＣＤ制御回路２０がＬＣＤパネル４０を表示させようとしている状態にもかかわらず、昇圧回路３６の電源電圧が意図する電圧より低い、すなわち、正常に昇圧されていない場合、ＬＣＤ駆動回路３０は何らかの要因で誤動作していると考えられる。このため、ＬＣＤ制御回路２０によって、この電圧の異常を監視することができれば、ＬＣＤ駆動回路３０を異常状態から復帰させることができる。
【００３４】
本実施形態では、この昇圧回路３６の出力電圧を検出する手段として電圧検出回路５０を設けている。ここでは、電圧検出回路５０として、入力電圧が基準電圧以上ならば入力電圧を出力し、基準電圧以下ならば０Ｖを出力する機能を持つ電圧検出素子を使用するものとする。具体例をあげれば、トランジスタのような半導体素子を用いるものとする。
【００３５】
これにより、昇圧回路３６の出力を基準電圧以上なら１、基準電圧以下なら０として処理できるため、ＬＣＤ制御回路２０の汎用入力ポートの一つにこの電圧検出回路５０の出力端子を接続するだけで、ＬＣＤ制御回路２０は昇圧回路３６の出力が正常か異常かを判定することができる。なお、汎用入力ポートとは、ここでは、特定用途以外のいろいろな目的の信号を処理するために設けられた端子で、入力信号が１か０か判断するデジタル信号処理に用いられる端子を指すものとする。
【００３６】
ＬＣＤ制御回路２０が昇圧回路３６の出力が異常であると判定した場合、ＬＣＤ制御回路２０は、初期化回路２２を用いてＬＣＤ駆動回路３０の初期化および再設定を行う。
【００３７】
次に、ＬＣＤ駆動回路３０による駆動動作について、正常な場合および異常が発生した場合について、順に説明する。
【００３８】
まず、正常な駆動の手順について、説明する。
【００３９】
１ａ．最初に、ＬＣＤ制御回路２０がＬＣＤ駆動回路３０を初期化および設定する。
【００４０】
２ａ．次に、ＬＣＤ駆動回路３０が、内部の昇圧回路３６を起動する。
【００４１】
３ａ．昇圧回路３６は、昇圧された供給電圧ＶＤＣを出力回路３４に対して出力する。
【００４２】
４ａ．電圧検出回路５０は、昇圧されたＶＤＣの値をＶｏｕｔに出力する。
【００４３】
５ａ．画像データがＬＣＤ制御回路２０からＬＣＤ駆動回路３０に送られる。
【００４４】
６ａ．ＬＣＤ駆動回路３０は、内部の制御回路３２で出力回路３４を制御し、ＬＣＤパネル４０に対して画素を制御するための電圧を出力する。
【００４５】
７ａ．ＬＣＤパネル４０は、ＬＣＤ駆動回路３０からの出力に従い、画像を表示する。
【００４６】
以上が正常な状態における画像表示の手順となる。
【００４７】
次に、ノイズの影響などによってＬＣＤ駆動回路３０が誤動作を起こした場合の駆動の手順について説明する。
【００４８】
１ｂ．まず、正常な手順によりＬＣＤパネル４０に画像が表示されている。
【００４９】
２ｂ．上記１ｂ状態でノイズを印加される。
【００５０】
３ｂ．ノイズの影響により、ＬＣＤ駆動回路３０が誤動作する。
【００５１】
４ｂ．昇圧回路３６が昇圧の動作を停止する。
【００５２】
５ｂ．電圧検出回路５０の出力信号Ｖｏｕｔが０になる。
【００５３】
６ｂ．ＬＣＤ制御回路２０は、電圧検出回路５０の出力が０であることを確認する。
【００５４】
７ｂ．ＬＣＤ制御回路２０は、ＬＣＤ駆動回路３０を初期化・再設定する処理を行う。
【００５５】
８ｂ．上記の正常な駆動手順における２ａ以降の処理が行わる。
【００５６】
９ｂ．ＬＣＤパネル４０に正常な画像が表示される。
【００５７】
以上のような手順によって、ＬＣＤ駆動回路３０の異常状態を初期化し、正常な表示を再開することができる。
【００５８】
次に、図２を参照して、本実施形態の表示装置１０を含む携帯端末９０の全体構成について説明する。図２は、本実施形態の携帯端末９０の主要部を構成する各部の概要を示す機能ブロック図である。
【００５９】
本実施形態の携帯端末９０は、表示装置１０、ＣＰＵ５２、電源回路５４、キー入力部５６、およびバッテリ５８を備えている。
【００６０】
表示装置１０は、携帯端末９０における基本ソフトウェアや、通話、通信、メール、写真撮影などの各種アプリケーションを起動した際に、動作結果を表示するために用いられる。ＣＰＵ５２は、携帯端末９０の各部を制御し、基本ソフトウェアや各種アプリケーションを実行する。電源回路５４は、ＣＰＵ５２や、表示装置１０を構成する各部に対して電源の供給を行う。キー入力部５６は、ユーザによる操作入力を受け付け、ＣＰＵ５２へ入力し、各種アプリケーションの動作結果などに反映させる。バッテリ５８は、電源回路５４へ電源を供給する。
【００６１】
なお、ここでは、バッテリ５８を用いて携帯端末９０を動作させる構成としたが、これに限るものではない。家庭用電源などにＡＣアダプタを接続し、電源回路５４に電源を供給する構成であってもよい。本願のようにバッテリで駆動されるような携帯型の機器の場合、機器が小型であるためノイズの影響を受けやすく、誤作動を起こしやすいため、特に正常な状態に復帰させる効果が大きい。
【００６２】
次に、図３を参照して、本実施形態の携帯端末９０において表示を行う際の基本的な処理の手順について説明する。図３は、携帯端末９０における表示処理の流れを示すフロー図である。
【００６３】
Ｓ１０１において、携帯端末９０は、ユーザによるキー入力部５６からのキー操作に基づいて電源が投入される。電源が投入された場合、携帯端末９０のＣＰＵ５２は、図示しないメモリから携帯端末９０を管理する基本ソフトウェアを読み出し、起動する（Ｓ１０２）。Ｓ１０３において、ＣＰＵ５２は、携帯端末９０の基本ソフトウェアに基づいて、携帯端末９０の各部に対して電源を供給するための設定を行い、電源を供給する。
【００６４】
Ｓ１０４において、ＣＰＵ５２は、電源が供給されたＬＣＤ制御回路２０に対する初期化および設定を行う。この設定によって、ＬＣＤ制御回路２０は、ＬＣＤ駆動回路３０の設定処理を開始する（Ｓ１０５）。Ｓ１０６において、ＬＣＤ制御回路２０は、ＬＣＤ駆動回路３０に対して、携帯端末９０の基本ソフトウェアにおける初期表示画面の画像データを送信する。
【００６５】
ＬＣＤ駆動回路は、ＬＣＤパネル４０に初期画面の画像を表示するために、内部の昇圧回路３６および出力回路３４を介して、ＬＣＤパネル４０に電圧を出力する。昇圧回路３６は昇圧された供給電圧ＶＤＣを出力回路３４に対して出力する。この際、電圧検出回路５０は、昇圧回路３６から出力回路３４に出力されている昇圧された供給電圧ＶＤＣを検出している。電圧検出回路５０は、検出した供給電圧ＶＤＣに基づいて、検出結果をしめす出力信号ＶｏｕｔをＬＣＤ制御回路２０に対して出力する。
【００６６】
上記の一連の手順を経て、ＬＣＤパネル４０上に基本ソフトウェアの初期画面が表示される（Ｓ１０７）。なお、その他のアプリケーションの画面表示についても、同様の手順を経てＬＣＤパネル４０上に表示される。
【００６７】
次に、図４を参照して、本実施形態の携帯端末９０において表示装置１０を異常状態か復帰させる処理の手順について説明する。図４は、ＬＣＤ駆動回路３０を初期化する処理の手順の概略を示すフロー図である。
【００６８】
まず、Ｓ２０１において、ＬＣＤ制御回路２０はＬＣＤ駆動回路３０の初期化および設定をおこなう。Ｓ２０２において、ＬＣＤ制御回路２０は、画像データをＬＣＤ駆動回路３０に送ることでＬＣＤパネル４０に画像を表示させる。
【００６９】
次に、Ｓ２０３において、ＬＣＤ制御回路２０は、ＬＣＤパネル４０に画像を表示後、１秒の間待機する。その後、Ｓ２０４において、ＬＣＤ制御回路２０は、電圧検出回路５０の出力を確認する。電圧検出回路５０の出力が１の場合（Ｓ２０４でＹＥＳ）、処理はＳ２０５へ進む。電圧検出回路５０の出力が１でない場合（Ｓ２０４でＮＯ）、処理はＳ２０７へ進む。
【００７０】
Ｓ２０５において、ＬＣＤ制御回路２０は、１０秒の間待機する。その後、Ｓ２０６において、省電力モードがＯＮであるか否かを確認する。これは、省電力モードがＯＮの場合には、ＬＣＤ表示をＯＦＦにする必要がないからである。省電力モードがＯＮの場合（Ｓ２０６でＹＥＳ）、再度ＬＣＤ表示をＯＮするときにＬＣＤ駆動回路３０の初期化および再設定を行うため、処理はＳ２１０に進み終了する。省電力モードがＯＮでない場合（Ｓ２０６でＮＯ）、ＬＣＤの表示を継続するため、処理はＳ２０４に戻り、再び電圧検出回路５０の出力の監視を行う。
【００７１】
Ｓ２０７において、ＬＣＤ制御回路２０は、１００ミリ秒の間待機する。その後、処理はＳ２０８に進み、再度電圧検出回路５０の出力を確認する。Ｓ２０８において、電圧検出回路５０の出力信号Ｖｏｕｔが０ではない場合（Ｓ２０８でＮＯ）、先ほどの値がノイズなどの影響で間違っていたとみなし、処理はＳ２０４に戻る。電圧検出回路５０の出力信号Ｖｏｕｔが０だった場合（Ｓ２０８でＹＥＳ）、ＬＣＤ制御回路２０はＬＣＤ駆動回路３０が誤動作していると判断し、Ｓ２０９において、ＬＣＤ駆動回路３０の初期化および再設定処理を行い、ＬＣＤ駆動回路３０を誤動作から復帰させる。
【００７２】
なお、上記の例では、電圧検出手段として、上記のような電圧検出回路５０を用いたが、例えば、ＬＣＤ制御回路２０がＡＤＣ（Analog Digital Converter：Ａ／Ｄコンバータ）などのような電源電圧をデジタル信号に変換する機能を持つ場合は、当該機能を用いてＬＣＤ制御回路２０内部で電源電圧が基準以上であるか否かを判定することができる。その場合、基準電圧以上であればＬＣＤ駆動回路３０は正常に動作していると判断し、基準以下ならば異常であると判断することで、ＬＣＤ駆動回路３０の復帰処理を行うか否かを決定するようにしてもよい。
【００７３】
また、電圧検出回路５０の出力をＬＣＤ制御回路２０の割り込み端子に接続することで、数秒ごとに１回、電圧検出回路５０の出力を確認するという処理を行うことなく、電圧検出回路５０の出力が０であったときに自動的にＬＣＤ駆動回路３０の初期化および再設定を行ってもよい。
【００７４】
以上のように、本実施形態の表示装置１０は、ＬＣＤパネル４０の表示素子に対して画像を表示させるＬＣＤ駆動回路３０と、ＬＣＤ駆動回路３０に画像を表示させる制御を行うＬＣＤ制御回路２０とを備えた表示装置１０であって、ＬＣＤ駆動回路３０が、ＬＣＤパネル４０に画像を表示させる画像信号を出力する出力回路３４と、出力回路３４に供給する電圧ＶＤＣを、画像信号を出力するために必要な出力電圧まで昇圧する昇圧回路３６とを備える表示装置１０において、昇圧回路３６から出力回路３４に供給される供給電圧を検出する電圧検出回路５０を備え、ＬＣＤ制御回路２０は、電圧検出回路５０によって検出された供給電圧ＶＤＣが出力電圧以上であるか否かに基づいて、ＬＣＤ駆動回路３０を初期化する初期化回路２２を備えている。
【００７５】
また、本実施形態の表示方法は、昇圧回路３６および出力回路３４を備え、ＬＣＤパネル４０の表示素子に対して画像を表示させる駆動回路３０と、駆動回路３０に画像を表示させる制御を行うＬＣＤ制御回路２０とを備えた表示装置１０における表示方法であって、ＬＣＤ駆動回路３０が、昇圧回路３６に対して出力手段３４に供給する電圧を昇圧させる昇圧ステップと、出力回路３４に対してＬＣＤパネル４０に表示する画像信号を出力させる出力ステップと、電圧検出回路５０が、昇圧回路３６から出力回路３４に供給される供給電圧ＶＤＣを検出する検出ステップと、ＬＣＤ制御回路２０の初期化回路２２が、電圧検出回路５０によって検出された結果に基づいてＬＣＤ駆動回路３０を初期化する初期化ステップとを備えている。
【００７６】
上記の構成によれば、ＬＣＤパネル４０の表示内容をＬＣＤ制御回路２０側から把握できない構成であっても、昇圧回路３６から出力回路３４に供給される供給電圧ＶＤＣに基づいて、ＬＣＤ駆動回路３０の異常を判断することができる。これにより、供給電圧ＶＤＣの異常が原因で画像表示に不具合が発生した場合でも、ＬＣＤ駆動回路３０を初期化することで画像表示を正常化できる。
【００７７】
本実施形態の表示装置１０では、電圧検出回路５０は、検出した供給電圧ＶＤＣが出力電圧未満である場合には０を、供給電圧ＶＤＣが前記出力電圧以上の場合には供給電圧をＬＣＤ制御回路２０にＶｏｕｔとして出力し、ＬＣＤ制御回路２０は、電圧検出回路５０からの出力が０の場合、ＬＣＤ駆動回路３０を初期化している。
【００７８】
上記の構成によれば、所定の電圧が出力されない場合は０を、所定の電圧よりも高い電圧の場合はその電圧を出力するような、トランジスタなどの半導体を用いた素子などを用いることで、簡素な構成で電圧検出手段を構成することができる。
【００７９】
なお、電圧検出回路５０は、検出した供給電圧ＶＤＣが出力電圧未満である場合には０を、供給電圧ＶＤＣが出力電圧以上である場合には１をＶｏｕｔとしてＬＣＤ制御回路２０に出力し、ＬＣＤ制御回路２０は、電圧検出回路５０からの出力Ｖｏｕｔが０の場合、ＬＣＤ駆動回路３０を初期化する構成であってもよい。
【００８０】
上記の構成によれば、電圧に応じて１または０の値を出力する素子を用いて電圧検出回路５０を構成できるので、ＬＣＤ制御回路２０に入力された値に基づいて判断する機能を付加する必要なく、簡素な構成で表示装置を構成することができる。
【００８１】
また、ＬＣＤ制御回路２０は、前記電圧検出手段によって検出された複数回の検出結果に基づいて前記駆動手段を初期化するか否かを判断している。
【００８２】
上記の構成によれば、複数の検出結果に基づいてＬＣＤ駆動回路３０の初期化を行うので、より誤動作を正確に判断することができる。
【００８３】
また、ＬＣＤ制御回路２０は、電圧検出回路５０からの出力信号Ｖｏｕｔをトリガとする割り込み機能に基づいてＬＣＤ駆動回路３０を初期化している。
【００８４】
上記の構成によれば、ＬＣＤ制御回路２０が備える割り込み機能を用いて初期化を行うので、ＬＣＤ制御回路２０で周期的に駆動手段の状態を確認する必要なく、駆動回路の異常を解消できる再生装置を実現できるという効果を奏する。
【００８５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８６】
最後に、表示装置１０の各ブロック、特にＬＣＤ制御回路２０および初期化回路２２は、ハードウェアロジックによって構成してもよいし、次のようにＣＰＵを用いてソフトウェアによって実現してもよい。
【００８７】
すなわち、表示装置１０は、各機能を実現する制御プログラムの命令を実行するＣＰＵ（Central Processing Unit）、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１０の制御プログラムのプログラムコード（実行形式プログラム、中間コードプログラム、ソースプログラム）をコンピュータで読み取り可能に記録した記録媒体を、上記表示装置１０に供給し、そのコンピュータ（またはＣＰＵやＭＰＵ）が記録媒体に記録されているプログラムコードを読み出し実行することによっても、達成可能である。
【００８８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８９】
また、表示装置１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００９０】
本発明によれば、表示部の表示内容を表示制御装置側から把握できない構成であっても、昇圧手段から出力手段に供給される電圧に基づいて、駆動手段の異常を判断することができるので、情報処理装置、携帯端末、通信端末、動画表示装置、デジタルカメラなど画像を表示する電子機器の表示装置として好適に利用することができる。
【図面の簡単な説明】
【００９１】
【図１】本発明の一実施形態を示すものであり、表示装置の要部構成を示す機能ブロック図である。
【図２】上記表示装置を含む携帯端末の要部構成を示す機能ブロック図である。
【図３】上記携帯端末における表示処理の流れを示すフロー図である。
【図４】ＬＣＤ駆動回路を初期化する処理の手順の概略を示すフロー図である。
【符号の説明】
【００９２】
１０    表示装置
２０    ＬＣＤ制御回路（表示制御手段）
２２    初期化回路（初期化手段）
３０    ＬＣＤ駆動回路（駆動手段）
３２    制御回路
３４    出力回路（出力手段）
３６    昇圧回路（昇圧手段）
４０    ＬＣＤパネル（表示部）
５０    電圧検出回路（電圧検出手段）
５２    ＣＰＵ
５４    電源回路
５６    キー入力部
５８    バッテリ
９０    携帯端末
【図１】
2009042683.tif 000003
【図２】
2009042683.tif 000004
【図３】
2009042683.tif 000005
【図４】
2009042683.tif 000006